(57)【要約】【課題】  複数の異なる通信網に対する円滑なデータ伝送を可能とするデータ伝送中継システム及びデータ伝送中継方法を提供する。【解決手段】  データ伝送中継システム１は、接続元側のデータ伝送装置３１と、接続先側のデータ伝送装置５１等とを備え、データ伝送装置３１には、データ伝送装置５１等の仮想伝送装置アドレスと、その携帯電話番号と、が関連づけられた電話番号テーブルが格納されている。また、データ伝送装置５１等には、プリンタ５０ａ等の仮想アドレスと、そのローカルアドレスと、が関連づけられたアドレステーブルが格納されている。データ伝送装置３１では、電話番号テーブルに基づき接続先側のデータ伝送装置５１等が選択されてパソコン３ｐからの送信データが転送され、接続先側のデータ伝送装置５１等では、アドレステーブルに基づきプリンタが選択されて当該送信データが転送される。【選択図】  図１
2006229489.tif 000002
【特許請求の範囲】
【請求項１】
第１の通信網に属する第１の端末と前記第１の通信網とは異なる複数の第２の通信網の各々に属する第２の端末とを、電話網を介して接続し、前記第１の端末と前記第２の端末との間のデータ伝送を中継するデータ伝送中継システムであって、
前記第１の通信網と前記電話網との境界に存在する第１の伝送装置と、
各々の前記第２の通信網と前記電話網との境界にそれぞれ存在する複数の第２の伝送装置とを備え、
前記第１の伝送装置は、
各々の前記第２の伝送装置に割り振られた仮想伝送装置アドレスと、前記第２の伝送装置の前記電話網における電話番号と、が関連づけられた電話番号テーブルを格納する電話番号テーブル格納手段と、
前記第１の端末から送信データを受け、当該送信データに含まれる送信先端末の仮想アドレスに基づいて、当該送信データを中継する前記第２の伝送装置の仮想伝送装置アドレスを算出するアドレス算出手段と、
算出された当該仮想伝送装置アドレスに基づいて、前記電話番号テーブルを参照し、前記送信データを中継する前記第２の伝送装置の電話番号を選択する電話番号選択手段と、
選択された当該電話番号に基づき、前記送信データを中継する前記第２の伝送装置との接続を、前記電話網を介して確立し、前記送信データを当該第２の伝送装置に転送する第１のデータ転送手段と、を有し、
前記第２の通信網と前記電話網との間に存在する前記第２の伝送装置は、
当該第２の通信網に属する前記第２の端末の前記仮想アドレスと、当該第２の通信網における前記第２の端末のローカルアドレスと、が関連づけられたアドレステーブルを格納するアドレステーブル格納手段と、
前記第１のデータ転送手段からの前記送信データを受信するデータ受信手段と、
受信した当該送信データに含まれる前記送信先端末の前記仮想アドレスに基づいて、前記アドレステーブルを参照し、前記送信先端末である前記第２の端末の前記ローカルアドレスを選択するアドレス選択手段と、
選択された当該ローカルアドレスに基づき、当該ローカルアドレスに対応する前記第２の端末に前記送信データを転送する第２のデータ転送手段と、を有することを特徴とするデータ転送中継システム。
【請求項２】
第１の通信網に属する第１の端末と前記第１の通信網とは異なる複数の第２の通信網の各々に属する第２の端末とを、電話網を介して接続し、前記第１の端末と前記第２の端末との間のデータ伝送を中継するデータ伝送中継方法であって、
前記第１の通信網と前記電話網との境界に存在する第１の伝送装置が、
各々の前記第２の通信網と前記電話網との境界にそれぞれ存在する複数の第２の伝送装置に割り振られた仮想伝送装置アドレスと、前記第２の伝送装置の前記電話網における電話番号と、が関連づけられた電話番号テーブルを格納しており、
前記第１の端末からの送信データを受け、当該送信データに含まれる送信先端末の仮想アドレスに基づいて、当該送信データを中継する前記第２の伝送装置の仮想伝送装置アドレスを算出し、
算出された当該仮想伝送装置アドレスに基づいて、前記電話番号テーブルを参照し、前記送信データを中継する前記第２の伝送装置の電話番号を選択し、
選択された当該電話番号に基づき、前記送信データを中継する前記第２の伝送装置との接続を、前記電話網を介して確立し、前記送信データを当該第２の伝送装置に転送し、
当該第２の伝送装置が、
前記第２の通信網に属する前記第２の端末の前記仮想アドレスと、当該第２の通信網における前記第２の端末のローカルアドレスと、が関連づけられたアドレステーブルを格納しており、
前記第１の伝送装置からの前記送信データを受信し、
受信した当該送信データに含まれる前記送信先端末の前記仮想アドレスに基づいて、前記アドレステーブルを参照し、前記送信先端末である前記第２の端末の前記ローカルアドレスを選択し、
選択された当該ローカルアドレスに基づき、当該ローカルアドレスに対応する前記第２の端末に前記送信データを転送することを特徴とするデータ転送中継方法。
【発明の詳細な説明】
【技術分野】
【０００１】
本発明は、特に、異なる通信網に属する端末同士を電話網を介して接続させることに利用されるデータ伝送中継システム及びデータ伝送中継方法に関するものである。
【背景技術】
【０００２】
互いに異なる通信網に属する端末同士を接続し、一方の通信網に属する端末によって、例えば、他方の通信網に属する端末の遠隔診断や遠隔監視を、電話網等の公衆の通信網を介して行う技術が求められている。従来、このように、異なる通信網に属する端末同士を接続する技術として、特開２００３−２２４５８０号公報に示されるものがある。この公報に記載されたネットワークシステムは、私設通信網に属する接続先端末に対して、この私設通信網外の接続元端末からの接続をインターネット網経由で行わせるためのシステムである。このシステムは、プライベートアドレスを用いる私設通信網とグローバルアドレスを用いるインターネット網との境界にネットワークアドレス変換装置を備えており、この装置によって、ＩＰパケット内に格納された宛先情報のプライベートアドレスとグローバルアドレスとを相互変換することにより、異なるＩＰネットワーク間でのデータの伝送を可能にしている。
【特許文献１】特開２００３−２２４５８０号公報
【発明の開示】
【発明が解決しようとする課題】
【０００３】
しかしながら、この種の私設通信網では、各々独自のＩＰアドレス体系が採用され個別に運用されているので、各私設通信網内において重複したネットワークアドレスが用いられている場合があり得る。このようなネットワークアドレスのユニーク性が保証されない複数の私設通信網に対する接続を行いたい場合、接続先を一元的に指定することができないので、上記ネットワークシステムでは、このような複数の私設通信網に対する接続を円滑に確立し円滑なデータ伝送を行うことができなかった。
【０００４】
そこで、本発明は、複数の異なる通信網に対する円滑なデータ伝送を可能とするデータ伝送中継システム及びデータ伝送中継方法を提供することを目的とする。
【課題を解決するための手段】
【０００５】
本発明に係るデータ伝送中継システムは、第１の通信網に属する第１の端末と第１の通信網とは異なる複数の第２の通信網の各々に属する第２の端末とを、電話網を介して接続し、第１の端末と第２の端末との間のデータ伝送を中継するデータ伝送中継システムであって、第１の通信網と電話網との境界に存在する第１の伝送装置と、各々の第２の通信網と電話網との境界にそれぞれ存在する複数の第２の伝送装置とを備え、第１の伝送装置は、各々の第２の伝送装置に割り振られた仮想伝送装置アドレスと、第２の伝送装置の電話網における電話番号と、が関連づけられた電話番号テーブルを格納する電話番号テーブル格納手段と、第１の端末から送信データを受け、当該送信データに含まれる送信先端末の仮想アドレスに基づいて、当該送信データを中継する第２の伝送装置の仮想伝送装置アドレスを算出するアドレス算出手段と、算出された当該仮想伝送装置アドレスに基づいて、電話番号テーブルを参照し、送信データを中継する第２の伝送装置の電話番号を選択する電話番号選択手段と、選択された当該電話番号に基づき、送信データを中継する第２の伝送装置との接続を、電話網を介して確立し、送信データを当該第２の伝送装置に転送する第１のデータ転送手段と、を有し、第２の通信網と電話網との間に存在する第２の伝送装置は、当該第２の通信網に属する第２の端末の仮想アドレスと、当該第２の通信網における第２の端末のローカルアドレスと、が関連づけられたアドレステーブルを格納するアドレステーブル格納手段と、第１のデータ転送手段からの送信データを受信するデータ受信手段と、受信した当該送信データに含まれる送信先端末の仮想アドレスに基づいて、アドレステーブルを参照し、送信先端末である第２の端末のローカルアドレスを選択するアドレス選択手段と、選択された当該ローカルアドレスに基づき、当該ローカルアドレスに対応する第２の端末に送信データを転送する第２のデータ転送手段と、を有することを特徴とする。
【０００６】
また、本発明に係るデータ伝送中継方法は、第１の通信網に属する第１の端末と第１の通信網とは異なる複数の第２の通信網の各々に属する第２の端末とを、電話網を介して接続し、第１の端末と第２の端末との間のデータ伝送を中継するデータ伝送中継方法であって、第１の通信網と電話網との境界に存在する第１の伝送装置が、各々の第２の通信網と電話網との境界にそれぞれ存在する複数の第２の伝送装置に割り振られた仮想伝送装置アドレスと、第２の伝送装置の電話網における電話番号と、が関連づけられた電話番号テーブルを格納しており、第１の端末からの送信データを受け、当該送信データに含まれる送信先端末の仮想アドレスに基づいて、当該送信データを中継する第２の伝送装置の仮想伝送装置アドレスを算出し、算出された当該仮想伝送装置アドレスに基づいて、電話番号テーブルを参照し、送信データを中継する第２の伝送装置の電話番号を選択し、選択された当該電話番号に基づき、送信データを中継する第２の伝送装置との接続を、電話網を介して確立し、送信データを当該第２の伝送装置に転送し、当該第２の伝送装置が、第２の通信網に属する第２の端末の仮想アドレスと、当該第２の通信網における第２の端末のローカルアドレスと、が関連づけられたアドレステーブルを格納しており、第１の伝送装置からの送信データを受信し、受信した当該送信データに含まれる送信先端末の仮想アドレスに基づいて、アドレステーブルを参照し、送信先端末である第２の端末のローカルアドレスを選択し、選択された当該ローカルアドレスに基づき、当該ローカルアドレスに対応する第２の端末に送信データを転送することを特徴とする。
【０００７】
このデータ伝送中継システム及びデータ伝送中継方法において、第１の端末からの送信データを受ける第１の伝送装置は、各第２の伝送装置に割り振られた仮想伝送装置アドレスと第２の伝送装置の電話番号とが関連づけられた電話番号テーブルを格納している。そして、第１の伝送装置は、第１の端末からの送信データを受け、この送信データに含まれる送信先の端末の仮想アドレスに基づいて、その送信データを中継する第２の伝送装置の仮想伝送装置アドレスを算出する。そして、算出されたこの仮想伝送装置アドレスに対応する電話番号を電話番号テーブルから選択し、この電話番号に基づいて第２の伝送装置との接続を確立し、この第２の伝送装置に上記送信データを転送する。転送された送信データを受ける第２の伝送装置は、第２の端末の仮想アドレスと第２の端末のローカルアドレスとが関連付けられたアドレステーブルを格納している。そして、第２の伝送装置では、受けた送信データに含まれる送信先の端末の仮想アドレスに対応するローカルアドレスを選択し、そのローカルアドレスに対応する第２の端末に上記送信データを転送する。以上のように、上記データ伝送中継システム及びデータ伝送中継方法によれば、各第２の通信網に属する第２の端末を、仮想アドレスを用いて、接続先として一元的に指定することができる。このため、第１の端末から第１の通信網及び第２の通信網に円滑に接続を確立することが可能となり、第１の端末と各々の第２の端末との間で円滑なデータ伝送が可能になる。
【発明の効果】
【０００８】
本発明のデータ伝送中継システム及びデータ伝送中継方法によれば、複数の異なる通信網に対する円滑なデータ伝送が可能になる。
【発明を実施するための最良の形態】
【０００９】
以下、図面を参照しつつ本発明に係るデータ伝送中継システムの好適な実施形態について詳細に説明する。
【００１０】
図１に示すデータ伝送中継システム１が適用される通信網群において、Ｚ社の社内ＬＡＮ（第１の通信網）３には、複数のパソコン３ｐが属しており、Ａ社の社内ＬＡＮ（第２の通信網）５、Ｂ社の社内ＬＡＮ（第２の通信網）７及びＣ社の社内ＬＡＮ（第２の通信網）９には、それぞれ、複数のパソコン５ｐ等及び複数のネットワークプリンタ５０ａ等が属している。そして、このデータ伝送中継システム１は、Ｚ社の社内ＬＡＮ３に属するパソコン（第１の端末）３ｐからＡ社の社内ＬＡＮ５、Ｂ社の社内ＬＡＮ７、Ｃ社の社内ＬＡＮ９に属するネットワークプリンタ（第２の端末）５０ａ等へ、携帯電話網１１を介してリモートアクセスさせるようにしたシステムである。例えば、プリンタメーカであるＺ社が、Ａ社、Ｂ社及びＣ社内においてネットワークプリンタとして使用されているＺ社製のプリンタの遠隔診断や遠隔監視を行う場合に、このようなデータ伝送中継システム１が有用である。
【００１１】
データ伝送中継システム１は、社内ＬＡＮ３と携帯電話網１１との境界に存在する接続元側のデータ伝送装置（第１の伝送装置）３１、社内ＬＡＮ５と携帯電話網１１との境界に存在する接続先側のデータ伝送装置（第２の伝送装置）５１、社内ＬＡＮ７と携帯電話網１１との境界に存在する接続先側のデータ伝送装置（第２の伝送装置）７１、及び社内ＬＡＮ９と携帯電話網１１との境界に存在する接続先側のデータ伝送装置（第２の伝送装置）９１を備えている。これらの接続先側の各データ伝送装置５１，７１，９１には、携帯電話網１１内においてデータ伝送装置を特定するための携帯電話番号が割り振られており、携帯電話回線を介して、接続元側のデータ伝送装置３１と、接続元のデータ伝送装置５１，７１，９１との接続を図ることが可能である。
【００１２】
社内ＬＡＮ３に接続されたパソコン３ｐには、社内ＬＡＮ３におけるそれぞれユニークなローカルアドレスが割り振られており、このローカルアドレス体系で社内ＬＡＮ３が運用されている。例えば、社内ＬＡＮ３の環境下で、各パソコン３ｐは、互いのローカルアドレスを指定することで、所望の何れかの他のパソコンに対してデータを送信することが可能である。そして、この社内ＬＡＮ３は、上記のデータ伝送装置３１を介して携帯電話網１１に接続されている。
【００１３】
社内ＬＡＮ５に接続されたパソコン５ｐ及びネットワークプリンタ５０ａ，５０ｂ，５０ｃには、社内ＬＡＮ５におけるそれぞれユニークなローカルアドレスが割り振られており、このローカルアドレス体系で社内ＬＡＮ５が運用されている。例えば、社内ＬＡＮ５の環境下で、各パソコン５ｐは、ネットワークプリンタ５０ａ，５０ｂ，５０ｃに割り振られたローカルアドレスを指定することで、所望の何れかのネットワークプリンタに対してデータを送信し、そのデータをプリントアウトさせることが可能である。ここでは、プリンタ５０ａのローカルアドレスとして（１９２．１６８．１０．１）、プリンタ５０ｂのローカルアドレスとして（１９２．１６８．１０．２）、プリンタ５０ｃのローカルアドレスとして（１９２．１６８．１０．３）が割り振られている（図３参照）。そして、この社内ＬＡＮ５は、上記のデータ伝送装置５１を介して携帯電話網１１に接続されている。
【００１４】
社内ＬＡＮ７には、複数のパソコン７ｐ及び３台のネットワークプリンタ７０ａ，７０ｂ，７０ｃが接続されており、上述した社内ＬＡＮ５と同様に構成され同様の運用がなされている。社内ＬＡＮ７は、上記のデータ伝送装置７１を介して携帯電話網１１に接続されている。また、社内ＬＡＮ９には、複数のパソコン９ｐ及び３台のネットワークプリンタ９０ａ，９０ｂ，９０ｃが接続されており、上述した社内ＬＡＮ５と同様に構成されると共に、社内ＬＡＮ５と同様の運用がなされている。社内ＬＡＮ９は、上記のデータ伝送装置９１を介して携帯電話網１１に接続されている。
【００１５】
上記のような社内ＬＡＮ３，５，７，９は、それぞれＺ社、Ａ社、Ｂ社、Ｃ社によって個別に運用されているので、社内ＬＡＮ３，５，７，９では、それぞれ独自のローカルアドレス体系が採用されている。このため、社内ＬＡＮ３，５，７，９全体において、各パソコン及び各プリンタに割り振られたローカルアドレスが重複する可能性もある。従って、社内ＬＡＮ３に属するパソコン３ｐから、社内ＬＡＮ５，７，９の何れかに属する何れかのネットワークプリンタの遠隔診断を行いたい場合に、これらのローカルアドレスを用いて接続を図ろうとしても、接続先を一元的に指定することができない。このように、複数の通信網に亘るアドレス体系のユニーク性が保証されていないネットワークプリンタへの円滑な接続を図るため、データ伝送中継システム１は、データ伝送装置３１及びデータ伝送装置５１，７１，９１を備えている。
【００１６】
上記のデータ伝送装置３１について説明する。データ伝送装置３１は、機能的な構成要素として、アドレス算出部（アドレス算出手段）３３、電話番号選択部（電話番号算出手段）３５、データ通信部（第１のデータ転送手段）３７及び電話番号テーブル格納部（電話番号テーブル格納手段）３９を備えている。電話番号テーブル格納部３９には、図２に示すように、データ伝送装置５１，７１，９１の仮想伝送装置アドレスと、これらのデータ伝送装置５１，７１，９１の携帯電話番号とが関連づけられた電話番号テーブル３９ａが格納されている。
【００１７】
ここで、仮想伝送装置アドレスとは、社内ＬＡＮ３からの接続先としてのデータ伝送装置５１，７１，９１に対して、仮想的に割り振られたアドレスである。データ伝送中継システム１では、データ伝送装置５１の仮想伝送装置アドレスとして（１９２．６８．１．０／２４）、データ伝送装置７１の仮想伝送装置アドレスとして（１９２．６８．２．０／２４）、データ伝送装置９１の仮想伝送装置アドレスとして（１９２．６８．３．０／２４）が割り振られている。この仮想伝送装置アドレスは、３２ビットで構成され、３２ビットのうち下位の８ビットは「０」に設定されている。また、各仮想伝送装置アドレスは、社内ＬＡＮ５に属する他の機器に割り振られたアドレスと重複しないように設定される。
【００１８】
アドレス算出部３３は、ネットワークプリンタ５０ａ等に接続しようとするパソコン３ｐから送信されるパケット（送信データ）を受け、そのパケットに含まれる送信先のプリンタの仮想アドレスを取得する。そして、取得した仮想アドレスを基にして、このパケットの伝送を中継するべきデータ伝送装置（すなわち、このパケットの送信先のプリンタが属する社内ＬＡＮと携帯電話網１１との境界に存在するデータ伝送装置）の仮想伝送装置アドレスを算出する。
【００１９】
ここで、上記仮想アドレスとは、各社内ＬＡＮに属する各ネットワークプリンタ５０ａ，５０ｂ，５０ｃ，７０ａ，７０ｂ，７０ｃ，９０ａ，９０ｂ，９０ｃに対して、仮想的に割り振られたアドレスである。この仮想アドレスは、３２ビットで構成され、その上位の２４ビットが、そのプリンタが属する社内ＬＡＮと携帯電話網１１との境界に存在するデータ伝送装置の仮想伝送装置アドレスと一致するように設定される。例えば、ここでは、プリンタ５０ａの仮想アドレスとして（１９２．１６８．１．１）、プリンタ５０ｂの仮想アドレスとして（１９２．１６８．１．２）、プリンタ５０ｃの仮想アドレスとして（１９２．１６８．１．３）が割り振られている（図３参照）。
【００２０】
電話番号選択部３５は、アドレス算出部３３が算出した仮想伝送装置アドレスを基にして、電話番号テーブル格納部３９に格納された電話番号テーブル３９ａを参照し、この仮想伝送装置アドレスに対応する携帯電話番号を選択する。
【００２１】
データ通信部３７は、電話番号選択部３５が選択した携帯電話番号に基づき、携帯電話番号に対応するデータ伝送装置５１，７１，９１の何れかと、携帯電話網１１を介して接続を確立する。このようにして、データ伝送装置３１と、データ伝送装置５１，７１，９１のうち何れかとが携帯電話回線によって接続されることになる。そして、データ通信部３７は、パソコン３ｐからのパケットを、接続が確立した上記のデータ伝送装置に転送する。
【００２２】
続いて、上記のデータ伝送装置５１について説明する。データ伝送装置５１は、データ通信部（データ受信手段）５３、アドレス選択部（アドレス選択手段）５５、データ転送部（第２のデータ転送手段）５７、及びアドレステーブル格納部（アドレステーブル格納手段）５９を備えている。アドレステーブル格納部５９には、図３に示すように、社内ＬＡＮ５に属するネットワークプリンタ５０ａ，５０ｂ，５０ｃの仮想アドレスと、これらのネットワークプリンタの社内ＬＡＮ５内におけるローカルアドレスとが関連づけられたアドレステーブル５９ａが格納されている。
【００２３】
データ通信部５３は、上述のデータ伝送装置３１からのパケットを受信する部分である。そして、アドレス選択部５５は、このパケットに含まれている送信先のプリンタの仮想アドレスを取得し、アドレステーブル５９ａを参照して、この仮想アドレスに対応するローカルアドレスを選択する。データ転送部５７は、アドレス選択部５５で選択されたローカルアドレスに対応するネットワークプリンタに上記のパケットを転送する。
【００２４】
データ伝送装置７１は、データ通信部７３、アドレス選択部７５、データ転送部７７、及びアドレステーブル格納部７９を備えており、データ伝送装置９１は、データ通信部９３、アドレス選択部９５、データ転送部９７、及びアドレステーブル格納部９９を備えている。そして、データ伝送装置７１，９１は、それぞれ、データ伝送装置５１と同様に構成されているので、説明を省略する。
【００２５】
以上のようなデータ伝送中継システム１において、社内ＬＡＮ３に属するパソコン３ｐから、社内ＬＡＮ５，７，９の何れかに属するネットワークプリンタ５０ａ等の何れか（以下の例では、社内ＬＡＮ５に属するネットワークプリンタ５０ｂとする。）へのデータ伝送を中継する処理について説明する。
【００２６】
まず、図４に示すように、パソコン３ｐは、Ｃ社の社内ＬＡＮ９に属するネットワークプリンタ５０ｂに割り振られた仮想アドレス（１９２．１６８．１．２）を送信先のアドレスとしてパケットに含め、このパケットを送信する（ステップＳ４０２）。このパケットはデータ伝送装置３１で受信され、アドレス算出部３３は、パケットに含まれる仮想アドレスの上位２４ビット（１９２．１６８．１）の後に、「０」を示す８ビットを加えて、パケットの送信先となるデータ伝送装置の仮想伝送装置アドレスを算出する（ステップＳ４０４）。ここでは、仮想伝送装置アドレスとして（１９２．１６８．１．０／２４）が算出され、この仮想伝送装置アドレスは、パケットの送信先であるネットワークプリンタ５０ｂが属する社内ＬＡＮ５と携帯電話網１１との境界に存在するデータ伝送装置５１の仮想伝送装置アドレスに該当する。
【００２７】
電話番号選択部３５は、電話番号テーブル３９ａを参照し（ステップＳ４０６）、算出された上記の仮想伝送装置アドレス（１９２．１６８．１．０／２４）に対応する携帯電話番号「０９０−ＡＡＡＡ−ＡＡＡＡ」を選択する（ステップＳ４０８）。この携帯電話番号は、データ伝送装置５１の携帯電話番号に該当する。続いて、データ通信部３７は、選択した携帯電話番号「０９０−ＡＡＡＡ−ＡＡＡＡ」に基づいて接続信号を発信する（ステップＳ４１０）。このようにして、携帯電話網１１を介し、データ伝送装置３１とデータ伝送装置５１との（すなわち、社内ＬＡＮ３と社内ＬＡＮ５との）ＴＣＰ／ＩＰによる接続が確立される（ステップＳ４１２）。そして、データ通信部３７は、接続が確立されたデータ伝送装置５１に向けて上記のパケットを送信する（ステップＳ４１４）。
【００２８】
データ伝送装置５１のデータ通信部５３は、上記のパケットを、携帯電話網１１を介して受信する。アドレス選択部５５は、このパケットに含まれる送信先のプリンタの仮想アドレス（１９２．１６８．１．２）を取得し、アドレステーブル５９ａを参照して（ステップＳ４１４）、この仮想アドレスに対応するローカルアドレス（１９２．１６８．１０．２）を選択する（ステップＳ４１８）。このローカルアドレスは、社内ＬＡＮ５においてネットワークプリンタ５０ｂに割り振られているローカルアドレスに該当する。そして、データ転送部５７は、このパケットに含まれる上記送信先の仮想アドレスを、選択したローカルアドレス（１９２．１６８．１０．２）に書き換える。そして、データ転送部５７は、社内ＬＡＮ５内において、当該ローカルアドレスに対応するネットワークプリンタ５０ｂに向けてこのパケットを送信し（ステップＳ４２０）、ネットワークプリンタ５０ｂは、このパケットを受信する。以上のような処理によって、パソコン３ｐからネットワークプリンタ５０ｂへのパケットデータの伝送が中継される。
【００２９】
上述したデータ伝送中継システム１及びデータ伝送中継方法によれば、社内ＬＡＮ３に属するパソコン３ｐが、携帯電話網１１を意識することなく、ネットワークプリンタ５０ａ等の仮想アドレスを社内ＬＡＮ３内におけるローカルアドレスと同様に取り扱うことができる。また、各社内ＬＡＮ５，７，９において、各ネットワークプリンタ７０ａ等に割り振られているローカルアドレスに重複がある場合であっても、この仮想アドレスを用いて一元的に接続先のプリンタを指定することができる。このため、パソコン３ｐは、異なる通信網である社内ＬＡＮ５，７，９に属するネットワークプリンタ５０ａ，７０ａ，９０ａ等に対し、携帯電話網１１を介して、円滑な接続を確立することができる。
【図面の簡単な説明】
【００３０】
【図１】本発明に係るデータ伝送中継システムの一実施形態を示すブロック図である。
【図２】電話番号テーブルの一例を示す図である。
【図３】アドレステーブルの一例を示す図である。
【図４】パソコンから他の通信網のネットワークプリンタに接続し、パケットを送信するための処理を示すシーケンス図である。
【符号の説明】
【００３１】
１…データ伝送中継システム、３…社内ＬＡＮ（第１の通信網）、３ｐ…パソコン（第１の端末）、５，７，９…社内ＬＡＮ（第２の通信網）、５０ａ，５０ｂ，５０ｃ，７０ａ，７０ｂ，７０ｃ，９０ａ，９０ｂ，９０ｃ…ネットワークプリンタ（第２の端末）、１１…携帯電話網、３１…データ伝送装置（第１の伝送装置）、３３…アドレス算出部（アドレス算出手段）、３５…電話番号選択部（電話番号選択手段）、３７…データ通信部（第１のデータ転送手段）、３９ａ…電話番号テーブル、３９…電話番号テーブル格納部（電話番号テーブル格納手段）、５１，７１，９１…データ伝送装置（第２の伝送装置）、５３，７３，９３…データ通信部（データ受信手段）、５５、７５，９５…アドレス選択部（アドレス選択手段）、５７，７７，９７…データ転送部（第２のデータ転送手段）、５９ａ，７９ａ，９９ａ…アドレステーブル、５９，７９，９９…アドレステーブル格納部（アドレステーブル格納手段）。
【図１】
2006229489.tif 000003
【図２】
2006229489.tif 000004
【図３】
2006229489.tif 000005
【図４】
2006229489.tif 000006